(57)【要約】【課題】掃除機延長管の先端に取り付け掃除する箇所と接触しゴミや埃を掻きだし掻き取る。繰返し使う事もできる安価な掃除機ノズルキャップを提供する。【解決手段】掃除する箇所と接触する原反部２と原反部２の周縁部に設けられた伸縮自在な伸縮自在部３と原反部２の中央付近に設けた吸込部４からなり掃除機の延長管先端部５に取り付けゴミや埃を掻き出し掻き取る事が可能である。【選択図】図４
2004049851.tif 000002
【特許請求の範囲】
【請求項１】
掃除機の延長管先端部に取り付ける通気性がありゴミや埃と接触する原反部と原反部の周縁部についている原反部を延長管先端部に固定する伸縮自在部からなる掃除機用ノズルキャップ。
【請求項２】
通気性がありゴミや埃と接触する原反部と原反部の周縁部を筒状の接続管先端部に取り付けており掃除機延長管先端吸引口に差し込んで固定する掃除機用ノズルキャップ。
【請求項３】
通気性のある原反部はゴミや埃を絡めとる空隙がある素材により構成されており網戸のメッシュ部分に付着した汚れを浮き出させ絡めとることが出来る請求項１乃至請求項２の掃除機用ノズルキャップ。
【請求項４】
延長管先端部に掃除機キャップを取り付けた時その原反中央部に穴か切り込みが入っている請求項１乃至請求項２の掃除機ノズルキャップ。
【請求項５】
汚れ掻きだし能力を上げる為に原反部にブラシ部を取り付けた請求項１乃至請求項２の掃除機用ノズルキャップ。
【請求項６】
原反部に取り付けたブラシ部の先端が曲がっている請求項１乃至請求項２の掃除機用ノズルキャップ。
【請求項７】
原反部に洗浄剤や洗浄液を含ませたりゴム加工を施し汚れ取り効果を増した請求項１乃至請求項２の掃除機ノズルキャップ。
【発明の詳細な説明】
【０００１】
【発明の属する技術分野】
本発明は掃除機の延長管の先端に取り付け汚れを掻き出し掻き取るノズルキャ
ップに関する。
【０００２】
【従来の技術】
掃除機に付属するブラシ付きノズルや別売のブラシ付きノズルは外周がブラシで出来ており、ブラシを動かしながらゴミや埃を掻き出し吸引する方法である。
【０００３】
外周のブラシ以外に内側に回転するブラシがついたものもあり外周ブラシと吸引により回転する回転ブラシによりゴミや埃を掻きだす効果を増加しているものもある。
【０００４】
掃除機に付属するブラシ付きノズルや別売のブラシ付きノズルは樹脂成形品にブラシを取り付けたタイプであり耐久品である。
【０００５】
【発明が解決しようとする課題】
掃除機付属のブラシつきノズルや別売ブラシ付きノズルで隙間や網戸を掃除したときブラシ部にゴミや埃が纏わりつきブラシ部自体が汚れブラシ部を掃除しなければならなくなる。
【０００６】
ブラシ部はゴミや埃を掻きだすことは出来てもブラシ自体がゴミを保持するようには設計されていない。そのためブラシ部にゴミや埃が纏わりつくと本来の掻き出し効果も低下する。
【０００７】
特に網戸の場合ブラシでゴミや埃を掻き出すブラシ毛が真っ直ぐな為掃除する面の反対面の汚れを掻き出すのは困難である。
【０００８】
掃除機に付属するブラシ付きノズルは掃除機本体に収納できるようになっているが、別売のブラシ付きノズルは新たに収納場所を作らなければならなく、場所を取るものである。
【０００９】
【課題を解決するための手段】
本発明は前記課題を解決すべく掃除機の延長管の先端部分に取り付ける掃除機ノズルキャップを提供する。
【００１０】
すなわち掃除機の延長管の先端に取り付けできる付属ブラシや別売のブラシ等の耐久品はそれ自体ではゴミとり効果はなくゴミを掻きださせる役割であるが本発明は原反部が接する面自体のゴミを掻き出し保持する事ができる。
【００１１】
延長管の先端に取り付けた掃除機ノズルキャップの原反部はそれ自体がふき取り効果のある素材を選定する事により原反部自体がゴミや埃を掻きだし、掻き取る機能を有する。
【００１２】
素材的にはニードルパンチ、ケミカルボンド、サーマルボンド等の製法で生産した不織布や織物やウレタン等でも良い。要はゴミや埃を掻きだしそれを保持する為の原反部に繊維管距離（空隙部）が多い物が望ましい。
【００１３】
原反部は少し嵩がありゴミや埃をからませ掻き取ることが出来る。ゴミや埃を強力に掻きださせる素材との組み合わせも考えることが出来き効果を上げる事も考えられる。
【００１４】
掃除場所を網戸と限定した場合網戸のメッシュ内にあるゴミや埃を原反部の繊維等により掻き出させ、またそれを絡め繊維間空隙により保持する。
【００１５】
網戸の場合掃除する反対面のゴミや埃を取る為網戸の厚みより繊維長があり反対面のゴミや埃を絡める素材を選択すると掃除面及び反対面のゴミや埃を取ることが出来効果的である。
【００１６】
網戸のゴミや埃を浮き出させ、またそれを原反の繊維間空隙で保持してもその表面積（体積）自体が狭くすぐに目詰まりを起こす為原反の中央部に切り込みか穴を開ける事により原反で保持しきれないゴミや埃を掃除機で吸引するので掃除機ノズルキャップが詰まることを防ぐ。
【００１７】
掃除機付属のブラシ付きノズルは延長管に嵌合する方法が一般的であり、また樹脂成形品が一般的である。また別売のブラシ付きノズル類は同様樹脂成形品であり高価なものになっている。本発明は安価にて市場に流通させる為に原反の周囲に伸縮自在紐をつけ延長管先端に被せ伸縮自在部の収縮により掃除機ノズルキャップを固定する。この方法なら機種に関係なく取り付けすることが出来る。
【００１８】
伸縮自在部の形成方法としてはゴムひもを縫製加工する方法、輪ゴムを縫製加工する方法、輪ゴムを熱溶着する方法が考えられる。熱溶着の場合原反が溶着できるか、原反の厚み・目の粗密等の制約が多く、縫製加工は制限が少ない。
【００１９】
掃除機延長管先端部に取り付けた掃除機ノズルキャップは原反部が掃除する箇所と接触し頻繁に移動しながら汚れを取る為それに耐える固定力がある伸縮自在部にしなければならない。
【００２０】
柔軟な原反と伸縮自在部とで出来ているので収納時小さく場所を取らないメリットもある。
【００２１】
また他の掃除機ノズルキャプの延長管への取り付け方法として原反周縁部を筒状の接続管の先端部に取付け従来の方法のように延長管の先端吸引口に嵌合して固定する方法でも筒状接続管を紙管や樹脂成形でも樹脂量の少ない方法なら安価に生産することが出来る。
【００２２】
筒状部を機種対応できる最短の長さにする事により収納時場所を取らないようにすることは可能である。
【００２３】
原反部と筒状部の接着方法であるが素材にもよるが接着材や熱溶着等が考えられる。伸縮自在部の収縮により固定するタイプに比べ固定する力は強いので原反部のズレ等は発生しにくい。
【００２４】
原反の拭き取り効果をあげる為に洗浄剤や洗浄液を含浸したり原反にゴム加工等をして汚れとり効果を上げる方法も考えられる。
【００２５】
安価な製品ではあるが原反の選択により洗って繰返し使用が可能である。再使用することにより環境面に配慮した製品である。
【００２６】
【発明の実施の形態】
続いて添付した図面を参照しつつ本発明を具体化した実施の形態について説明し本発明の理解に供する。
【００２７】
図１は本発明の掃除機ノズルキャップ１であり特に網戸用に作成した物である。網戸と接する原反部２とその周縁部に取付けた伸縮自在部３と原反部２のほぼ中央に開けた吸込部４からなる。
【００２８】
図２及び図３は掃除機の延長管先端部５の形状である。延長管先端周縁部５ａ（５ａ１、５ａ２の様なものの総称）、延長管吸引口５ｂからなる。延長管吸引口５ｂの形状はほぼみな円であるが延長管先端周縁部５ａの外周は円から矩形状の物までいろいろある。外径は４０ｍｍが中心である。
【００２９】
延長管先端周縁部５ａの形状の種類は多数存在しても掃除機ノズルキャップ１の取り付け方法が伸縮自在部３の収縮による為、大きく形状が違わない限り取り付け可能である。
【００３０】
図４は掃除機ノズルキャップ１を延長管先端部５に取付けたところである。掃除機ノズルキャップ１の伸縮自在部３の収縮により固定されている。掃除機ノズルキャップ１は網戸と接触しながら移動する為掃除機ノズルキャップが外れないよう伸縮自在部を強くする必要があるが女性が手で簡単に取り付けできなければならない。
【００３１】
延長管先端周縁部５ａに被せた網戸と接触する原反部２のほぼ中央部に円形で直径約１５ｍｍの吸込部４が開いており原反部２でかき出したゴミや埃をすべて原反部で保持すれば直ぐに詰まってしまう為吸込部４より掃除機内にゴミや埃を吸引する事により原反部２の表面の目詰まりがしにくく網戸掃除ができる。
【００３２】
図５は図４の吸込部４を穴ではなく切り込みにした図である。実質同様の働きをする。原反部２の強度の問題や作業性等で吸込部の形状や製法を選択すれば良い。
【００３３】
図６は掃除機ノズルキャップを延長管先端部５に取付けた時の断面図である。伸縮自在部３の収縮により固定されている。網戸との接触は延長管先端周縁部５ａを覆っている原反接触平面部２ａの部分であるが掃除機の吸引力により原反接触平面部２ａは本体吸込口５ｂの内側に少し吸い込まれていく為一番網戸と接触する部分は延長管先端周縁部５ａの接する延長管先端周縁部接触原反部２ｂである。
【００３４】
図７は延長管先端部５に固定する方法が嵌合方法をとった掃除機ノズルキャップの図である。１の掃除機ノズルキャップの固定方法は伸縮自在部の収縮による物であったが１００の掃除機ノズルキャップは収縮自在部３の替わりに筒状接続管９を原反２の周縁部に取付けた物である。
【００３５】
筒状接続管９は紙製や樹脂製で良いが安価に作る為には紙製や樹脂量の少ない成形方法で生産されたものが良い。
【００３６】
原反２の周縁部と筒状接続管９との取付け方法は接着剤でも熱溶着でも良く原反２の素材と筒状接続管９の素材との適性及び生産性により決めればよい。
【００３７】
図８は延長管先端部５に掃除機ノズルキャップ１００を取り付けた図である。延長管吸引口の形状は円形であるため筒状接続管９にテーパーを付け原反側が大きく外径４０ｍｍ程度、延長管吸引口と嵌合する側は外径３０ｍｍ程度に設定すれば適合する機種は広がる。
【００３８】
図９は網戸６に付着したゴミや埃７を原反部２及びブラシ部８によりゴミや埃をかき出している図である。原反部２の素材は不織布やウレタン、織物等が考えられる。価格面を考えると不織布が適している。不織布でもゴミや埃を保持する能力が高い素材が良くナイロン、ポリエステル、ポリプロピレンなどをニードルパンチ法、ケミカルボンド法、サーマルボンド法等により粗く嵩高くするほうが良い。
【００３９】
よりいっそう掻き取り効果を上げるために原反部２にブラシ部８をつける方法もある。ブラシ部８の素材には植毛ブラシや面ファスナーのフック面等が良く特にブラシ先端部８ａが少し曲がっている方が網戸にまとい付き強力に付着したゴミや埃を掻き出す効果が高い。強力に掻き出したゴミや埃を原反部２にて保持・ふき取り、また吸込部４にて吸い取る事により網戸の汚れ７を取り除くことができる。
【００４０】
また、ブラシ部８のブラシ毛の長さは網戸の厚みより長ければ掃除する反対面の汚れもかき出す事が出来るメリットがある。またブラシ先端部８ａが曲がっていると真っ直ぐではとどかない部分汚れも掻き出す効果がある。
【００４１】
原反部２の空隙のある不織布の繊維とブラシ部８及び掃除機の吸引力の相乗効果により掃除機ノズルキャップ部分を強く網戸６に接しなくても網戸６を掃除する事ができる。ブラシ部８が掃除する面やその反対側の面のゴミや埃７を掻きだし原反部２の不織布部によって絡め取っていく。また原反部２で保持しきれないゴミや埃７は中央の吸込部４より掃除機の吸引力により吸い取っていく。ブラシ部８、原反部に２よりゴミや埃を掻きだし絡め取る為小さな力で掃除できるので掃除機ノズルキャップを強く網戸に押し付けない為網戸が緩むことが少ない。
【００４２】
図１０は原反部２にブラシ部８を取り付けたところである。延長管先端周縁部５ａ上にかかるようにブラシ部が取り付けられており、その延長管先端周縁部５ａ上のブラシ部８が一番網戸と接触する場所でありゴミや埃を掻き出す力が強い部分である。
【００４３】
図１１はブラシ部８の形状と取り付け位置である。ブラシ部８は網戸に絡んでゴミや埃をかき出すため外力がかかり少しずれたりする。そのため一番良い位置は延長管先端周縁部５ａの上部が良く一番力が入る。図１１のようなブラシ部８の形状で取り付け延長管先端周縁部５ａより外径が大きければ良い。しかしブラシ部８に使用するたとえば面ファスナーのフック面の抜き取り加減が不経済となる。
【００４４】
図１２はブラシ部８の形状を経済的な抜き取り形状にし複数枚延長管先端周縁部５ａに接する原反部に取り付けると原反部２のズレと掃除機の吸引による内側への曲がりによりブラシ部のどこかは延長管先端周縁部５ａより内側乃至外側に脱落しブラシの効果が低下すると言う欠点がある。
【００４５】
図１３の形状は延長管先端周縁部５ａを乗り越え吸込部方向と伸縮自在部方向に向けブラシ部が延長管先端周縁部５ａを乗り越える様に取り付ける。それを複数個つけることによりブラシ部８の内側乃至外側への脱落を防ぐ事ができる。ブラシ部８自体高価な素材の為極力有効に使用しなければなら無い。
【００４６】
ブラシ部８には面ファスナーのフック面が良くゴミや埃を掻き出す効果は高い。面ファスナーフック面の種類もいろいろあるがマッシュルームタイプより先端が少し曲がったタイプの方が汚れ掻き出し効果は高い。
【００４７】
ブラシ部８と原反部２とは強力に取り付けなければならず縫製加工か熱溶着が望ましい。
【００４８】
また、原反部２の加工として洗浄剤や洗浄液を含ませる方法や摩擦により効果的にゴミや埃を取るためのゴム加工等を施し網戸の汚れ落とし効果を上げる方法もある。
【００４９】
また、掃除機ノズルキャップの原反部をウェット状にすることにより拭き取り効果を増すことができキレイに仕上げる事ができる。
【００５０】
本発明の実施の形態は網戸用としているが掻き出す効果と掻き取る効果と吸引する掃除機の効果があるため原反部やブラシ部の素材や形状を替えることにより絨毯や人工芝、金網等入り組んだものの汚れ取にも応用できる。
【００５１】
【発明の効果】
上記した説明から明らかなように本出願に係る技術を適用することにより網戸や入り込んだ物の汚れを簡単にキレイに取る事ができる。また製品構成も簡単であり低コストで生産できるメリットもある。また使い捨てにせず繰返し洗って使用することもでき環境面での配慮も出来ている。
【図面の簡単な説明】
【図１】本発明品の斜視図である。
【図２】掃除機の丸形状の延長管先端部斜視図。
【図３】掃除機の異型の延長管先端部斜視図
【図４】本発明品を掃除機延長管先端部に取り付けた説明図
【図５】吸込部の形状説明図。
【図６】延長管先端部に本発明品を取り付けた断面図。
【図７】延長管先端部への固定方法が異なる掃除機ノズルキャップの説明図。
【図８】掃除機ノズルキャップを延長管吸引口に嵌合した説明図。
【図９】網戸に付着した汚れを本発明品で掻き出す時の説明図
【図１０】原反部にとりつけるブラシ部の形状説明図
【図１１】円形ブラシ部の取り付け場所と形状の説明図
【図１２】円形を分断したブラシ部の取り付け場所と形状の説明図
【図１３】ブラシ部の取り付け場所と形状の説明図
【符号の説明】
１　掃除機ノズルキャップ
２　原反部
２ａ　原反接触平面部
２ｂ　延長管先端周縁部接触原反部
３　伸縮自在部
４　吸込部
５　延長管先端部
５ａ　延長管先端周縁部（５ａ１、５ａ２の様なものの総称）
５ａ１　円形の延長管先端周縁部
５ａ２　異型の延長管先端周縁部
５ｂ　延長管吸引口
５ｃ　延長管先端部外側
６　網戸
７　ゴミや埃
８　ブラシ部
８ａ　ブラシ先端部
９　筒状接続管
９ａ　筒状接続管原反取付部
１００　掃除機ノズルキャップ
【図１】
2004049851.tif 000003
【図２】
2004049851.tif 000004
【図３】
2004049851.tif 000005
【図４】
2004049851.tif 000006
【図５】
2004049851.tif 000007
【図６】
2004049851.tif 000008
【図７】
2004049851.tif 000009
【図８】
2004049851.tif 000010
【図９】
2004049851.tif 000011
【図１０】
2004049851.tif 000012
【図１１】
2004049851.tif 000013
【図１２】
2004049851.tif 000014
【図１３】
2004049851.tif 000015